(57)【要約】【課題】地震等の振動によりドラム缶が転倒・脱落するのを防止することができ、ドラム缶に外部から直接負荷がかかることを防止することができると共に、従来のパレットを加工等しないでそのまま利用することができ、その構造が簡単であり、その組立てを容易に行なうことができるドラム缶保管構造を提供する。【解決手段】その上にドラム缶６を載置する矩形のパレット４と、パレット４の互いに隣合う一対の角部４ｄ上にそれぞれ立設された一対の支柱部３２を２組有し、一対の支柱部３２の２組が互いに対向するようにパレット４の四隅の角部４ｄ上に配置された外枠部材と、一対の外枠部材２２Ａ，２２Ｂ間に掛け渡されてそれぞれを連結した一対の外枠連結部材２４と、一対の外枠部材２２Ａ，２２Ｂの支柱部３２の上端部に取付けられた上枠部材２６とを備えた。【選択図】図１
0003169253.tif 000002
【実用新案登録請求の範囲】
【請求項１】
その上にドラム缶を載置する矩形のパレットと、
前記パレットの互いに隣合う一対の角部上にそれぞれ立設された一対の支柱部を２組有し、当該一対の支柱部の２組が互いに対向するように前記パレットの四隅の角部上に配置された一対の外枠部材と、
前記一対の外枠部材間に掛け渡されてそれぞれを連結した一対の外枠連結部材と、
前記一対の外枠部材の前記支柱部の上端部に取付けられた上枠部材と
を備えたことを特徴とするドラム缶保管構造。
【請求項２】
前記外枠部材は、前記支柱部の下端部に脚部が一体的に設けられ、
前記脚部は、下面が前記パレットの角部の上に載置された上板部と、当該上板部の外側の２辺の周部から下方に伸びて水平断面がＬ字状に形成され前記パレットの角部の外側に配置された側板部とを有したことを特徴とする請求項１に記載のドラム缶保管構造。
【請求項３】
前記脚部のＬ字状に形成された側板部の一方の辺部における他方の辺部と反対側の端部から略直角に内側に折れ曲がり、前記側板部より高さが低い突板部が形成され、前記パレットに形成された開口部に前記突板部が入り込んで前記脚部が前記パレットから上方に外れないよう係止したことを特徴とする請求項２に記載のドラム缶保管構造。
【請求項４】
前記上枠部材は、その略正方形の外形形状の四隅それぞれに受部を有し、
前記受部の下端部の内側には、前記支柱部の水平断面の外形形状が嵌合できる開口部が形成され、
前記受部の開口部に前記支柱部の上端部が嵌合することにより、前記上枠部材は前記外枠部材の上端部に設けられたことを特徴とする請求項１ないし３のいずれかに記載のドラム缶保管構造。
【請求項５】
前記受部の上端部は、その上面に前記パレットの角部の下面を載置可能な下板部と、当該下板部の外側の２辺の周部から上方に伸びて水平断面がＬ字状に形成され、前記下板部の上に前記パレットの角部が載置された際に、前記脚部の前記側板部の外側に配置された立設部とを有したことを特徴とする請求項４に記載のドラム缶保管構造。
【請求項６】
前記立設部の上端部には、上方に向かうにつれて前記立設部の外側に向かって伸びるように傾斜したガイド部が形成されたことを特徴とする請求項５に記載のドラム缶保管構造。
【請求項７】
前記外枠連結部材の長さ方向の両端部には係止部を有する連結部が一体的に設けられ、
前記係止部が前記外枠部材の一対の支柱部に形成された長孔の下端部に係止することにより前記外枠連結部材が前記外枠部材に係止された
ことを特徴とする請求項１ないし６のいずれかに記載のドラム缶保管構造。
【請求項８】
前記外枠連結部材は、ネジ締結により前記外枠部材に一体的に連結されたことを特徴とする請求項７に記載のドラム缶保管構造。
【考案の詳細な説明】
【技術分野】
【０００１】
本考案は、例えば、内部に放射性廃棄物等が充填されたドラム缶を縦置きの状態で保管することができるような、ドラム缶保管構造に関するものである。
【背景技術】
【０００２】
従来、原子力発電所等の原子力関連施設において発生した放射性廃棄物は、放射線が洩れ出して外気中に拡散したり、放射線を発生する放射性物質自体が外気中に露出したりして環境を汚染することを防止するために、ドラム缶等の密閉容器の内部に充填された状態で、原子力関連施設内の専用の貯蔵庫に保管されるようになっていた（例えば、特許文献１参照）。
【０００３】
図１５及び図１６は、従来のドラム缶保管構造２を説明するために参照する図である。従来のドラム缶保管構造２は、金属製であり、図１５に示すように、角部４ｄを四隅に有する略正方形の平面形状と高さを有する形状に形成されたパレット４が、ドラム缶保管構造２の設置面７の上に配置されるようになっており、そのパレット４の上面４ａの上には、ドラム缶６が４つ縦置きの状態で水平方向に隙間無く並んで載置されるようになっていた。
【０００４】
従来のドラム缶保管構造２は、図１５に示すように、パレット４の側面部に、一方の水平方向に貫通する開口部４ｃが、一方の水平方向に対して略垂直の他方の水平方向に並んだ複数の支持部材３間に複数形成されており、このパレット４の開口部４ｃにフォークリフトのフォークを差込む等によりパレット４を運ぶことができるようになっていた。パレット４の開口部４ｃが無い方の側面部には、支持部材３と平行な側方部材５の外側に凹部４ｅが形成されていた。
【０００５】
そして、このような従来のドラム缶保管構造２は、図１６に示すように、パレット４とドラム缶６が交互に３段、設置面７に対して垂直方向に積み重ねられることが可能な構成になっていた。
【０００６】
すなわち、従来のドラム缶保管構造２は、図１６に示すように、パレット４の上面４ａ上に載置された縦置きのドラム缶６の上端部６ａの上に、別のパレット４がその下面４ｂを直接接触させた状態で載置されて、さらにその別のパレット４の上面４ａ上に別のドラム缶６が載置されるようになっていた。
【先行技術文献】
【特許文献】
【０００７】
【特許文献１】特開平７−１９８８９５号公報
【考案の概要】
【考案が解決しようとする課題】
【０００８】
しかしながら、前記従来のドラム缶保管構造２において、ドラム缶６はその自重、又はその自重に加えてドラム缶６の上に載せられたパレット４や別のドラム缶６の荷重により生じる摩擦力によって、パレット４に対する水平方向の移動が制限されているだけで、ドラム缶６はパレット４に特定の固定手段を用いて固定されるようにはなっていなかった。
【０００９】
また、図１６に示す前記従来のドラム缶保管構造２は、パレット４とドラム缶６が交互に３段、設置面７に対して垂直方向に積み重ねられる構成になっているため、それらが積み重ねられたドラム缶保管構造２全体の重心位置が高いものになっていた。
【００１０】
このため、前記従来のドラム缶保管構造２においては、地震等の振動によりドラム缶保管構造２全体が鉛直方向に対して傾いたり、ドラム缶６がパレット４の上面４ａ上を水平方向に摺動するので、ドラム缶保管構造２が転倒したり、ドラム缶６がパレット４の上面４ａから脱落したりするおそれがあるという問題があった。
【００１１】
また、前記従来のドラム缶保管構造２に対して、地震等の振動によりドラム缶６が上記のように転倒・脱落しないように、ドラム缶６とパレット４が一体となるように、ＪＲコンテナをトラック荷台に固定するときに用いられるようなラッシングベルト（不図示）をそれらの周りに巻き付けることも行なわれていたが、地震等の振動によりドラム缶６が水平方向に少しでも動くとラッシングベルトに緩みが生じ、その途端にラッシングベルトによるドラム缶６とパレット４を固定する効果が著しく低下してしまうという問題があった。
【００１２】
また、前記従来のドラム缶保管構造２におけるドラム缶６は、内部に放射性廃棄物等を収納するための収納容器であり、前記ドラム缶保管構造２のようにドラム缶６の上部に直接別のパレット４やドラム缶６の重量による負荷がかかった状態で保管することは決して好ましいものではなく、そのような状態でドラム缶６の保管を続けると、経年変化によりドラム缶６が劣化して破損してしまうという問題もあった。
【００１３】
また、前記従来のドラム缶保管構造２は長年にわたって広く運用されてきたので、それに用いられたパレット４も大量に存在しており、これらのパレット４の全てを新しいものに交換することは、莫大な労力や費用がかかるという問題があった。
【００１４】
また、前記従来のドラム缶保管構造２は長年にわたって広く運用されてきたので、原子力関連施設内の専用の貯蔵庫等は、従来のドラム缶保管構造２に合わせた構造や寸法になっており、従来のドラム缶保管構造２よりも水平方向又は高さ方向の長さ寸法が大きくなりすぎると、原子力関連施設内の専用の貯蔵庫等に保管することができないという問題もあった。
【００１５】
そこで本考案は、上記問題点に鑑みて、地震等の振動によりドラム缶が転倒・脱落するのを防止することができ、ドラム缶に外部から直接負荷がかかることを防止することができると共に、従来のパレットを加工等しないでそのまま利用することができ、その構造が簡単であり、その組立てを容易に行なうことができるドラム缶保管構造を提供することを課題とするものである。
【課題を解決するための手段】
【００１６】
上記課題を解決するために、本考案によるドラム缶保管構造は、
その上にドラム缶を載置する矩形のパレットと、
前記パレットの互いに隣合う一対の角部上にそれぞれ立設された一対の支柱部を２組有し、当該一対の支柱部の２組が互いに対向するように前記パレットの四隅の角部上に配置された一対の外枠部材と、
前記一対の外枠部材間に掛け渡されてそれぞれを連結した一対の外枠連結部材と、
前記一対の外枠部材の前記支柱部の上端部に取付けられた上枠部材と
を備えたことを特徴とするものである。
【００１７】
また、本考案によるドラム缶保管構造は、
前記外枠部材は、前記支柱部の下端部に脚部が一体的に設けられ、
前記脚部は、下面が前記パレットの角部の上に載置された上板部と、当該上板部の外側の２辺の周部から下方に伸びて水平断面がＬ字状に形成され前記パレットの角部の外側に配置された側板部とを有したことを特徴とするものである。
【００１８】
また、本考案によるドラム缶保管構造は、
前記脚部のＬ字状に形成された側板部の一方の辺部における他方の辺部と反対側の端部から略直角に内側に折れ曲がり、前記側板部より高さが低い突板部が形成され、前記パレットに形成された開口部に前記突板部が入り込んで前記脚部が前記パレットから上方に外れないよう係止したことを特徴とするものである。
【００１９】
また、本考案によるドラム缶保管構造は、
前記上枠部材は、その略正方形の外形形状の四隅それぞれに受部を有し、
前記受部の下端部の内側には、前記支柱部の水平断面の外形形状が嵌合できる開口部が形成され、
前記受部の開口部に前記支柱部の上端部が嵌合することにより、前記上枠部材は前記外枠部材の上端部に設けられたことを特徴とするものである。
【００２０】
また、本考案によるドラム缶保管構造は、
前記受部の上端部は、その上面に前記パレットの角部の下面を載置可能な下板部と、当該下板部の外側の２辺の周部から上方に伸びて水平断面がＬ字状に形成され、前記下板部の上に前記パレットの角部が載置された際に、前記脚部の前記側板部の外側に配置された立設部とを有したことを特徴とするものである。
【００２１】
また、本考案によるドラム缶保管構造は、
前記立設部の上端部には、上方に向かうにつれて前記立設部の外側に向かって伸びるように傾斜したガイド部が形成されたことを特徴とするものである。
【００２２】
また、本考案によるドラム缶保管構造は、
前記外枠連結部材の長さ方向の両端部には係止部を有する連結部が一体的に設けられ、
前記係止部が前記外枠部材の一対の支柱部に形成された長孔の下端部に係止することにより前記外枠連結部材が前記外枠部材に係止されたことを特徴とするものである。
【００２３】
また、本考案によるドラム缶保管構造は、
前記外枠連結部材は、ネジ締結により前記外枠部材に一体的に連結されたことを特徴とするものである。
【考案の効果】
【００２４】
このような本考案のドラム缶保管構造によれば、
その上にドラム缶を載置する矩形のパレットと、
前記パレットの互いに隣合う一対の角部上にそれぞれ立設された一対の支柱部を２組有し、当該一対の支柱部の２組が互いに対向するように前記パレットの四隅の角部上に配置された一対の外枠部材と、
前記一対の外枠部材間に掛け渡されてそれぞれを連結した一対の外枠連結部材と、
前記一対の外枠部材の前記支柱部の上端部に取付けられた上枠部材とを備えたことにより、
地震等の振動によりドラム缶が転倒・脱落するのを防止することができ、ドラム缶に外部から直接負荷がかかることを防止することができると共に、従来のパレットを加工等しないでそのまま利用することができ、その構造が簡単であり、その組立てを容易に行なうことができる。
【図面の簡単な説明】
【００２５】
【図１】本考案の一実施の形態に係るドラム缶保管構造２０の全体斜視図である。
【図２】図１に示すドラム缶保管構造２０の外枠連結部材２４が見える側面図である。
【図３】図２に示すドラム缶保管構造２０のパレット４のＡ−Ａ線矢視の断面図である。
【図４】図２に示すドラム缶保管構造２０の外枠部材２２Ａ，２２Ｂの正面図である。
【図５】図４に示す外枠部材２２Ａ，２２Ｂを示す図であり、図５（ａ）はその上面図、図５（ｂ）はその下面図である。
【図６】図４に示す外枠部材２２Ａ，２２Ｂの支柱部３２と脚部３４を示す図であり、図６（ａ）はその右側面図、図６（ｂ）は図４に示すＣ−Ｃ線矢視図である。
【図７】図２に示すドラム缶保管構造２０の外枠連結部材２４の正面図である。
【図８】図７に示す外枠連結部材２４の連結部４０を示す図であって、図８（ａ）はその正面図、図８（ｂ）はその上面図、図８（ｃ）は図８（ｂ）におけるＤ−Ｄ線矢視の断面図である。
【図９】図１，２に示す上枠部材２６の斜視図である。
【図１０】図９に示す上枠部材２６の受部４６を示す図であり、図１０（ａ）はその正面図、図１０（ｂ）はその下面図、図１０（ｃ）はその上面図である。
【図１１】図２に示すドラム缶保管構造２０の外枠部材２２Ａ，２２Ｂに外枠連結部材２４が連結された部分を囲む円部Ｂを拡大して示す部分拡大図である。
【図１２】図１１に示す外枠部材２２Ａ，２２Ｂの支柱部３２のＥ−Ｅ線矢視の断面図である。
【図１３】図１１に示す外枠部材２２Ａ，２２Ｂの支柱部３２のＦ−Ｆ線矢視の断面図である。
【図１４】縦方向に２段重ね合わせた状態のドラム缶保管構造２０を示す側面図である。
【図１５】従来のドラム缶保管構造２を示す斜視図である。
【図１６】縦方向に３段重ね合わせた状態の従来のドラム缶保管構造２を示す斜視図である。
【考案を実施するための形態】
【００２６】
以下、本考案に係るドラム缶保管構造の実施の形態について、図面に基づいて具体的に説明する。
【００２７】
図１から図１４は、本考案の一実施の形態に係るドラム缶保管構造２０について説明するために参照する図である。これらの図に示すドラム缶保管構造２０は、前記従来のドラム缶保管構造２と同様の部分には同じ符号を付して説明し、従来と同様の構成についての重複する説明は一部を除き省略するものとする。
【００２８】
本考案の一実施の形態に係るドラム缶保管構造２０は、図１及び図２に示すように、パレット４の一辺に１組の外枠部材２２Ａが設けられており（図４参照）、パレット４のこの一辺と対向する他の一辺に、外枠部材２２Ａと同じ構成の他の１組の外枠部材２２Ｂが設けられている。
【００２９】
すなわち、パレット４の一辺の両端部の角部４ｄのそれぞれの上には外枠部材２２Ａの一対の支柱部３２が立設し、パレット４の他の一辺の両端部の角部４ｄのそれぞれの上には外枠部材２２Ｂの一対の支柱部３２が立設している。
【００３０】
上記２組の外枠部材２２Ａ，２２Ｂは、それぞれが対向する方向と垂直の方向において同じ側の、一方の２本の支柱部３２の上端部間に、それぞれの支柱部３２の上端部を連結する外枠連結部材２４が掛け渡され、他方の２本の支柱部３２の上端部間にも、それぞれの支柱部３２の上端部を連結する外枠連結部材２４が掛け渡されている。
【００３１】
したがって、２本の外枠連結部材２４の両端部が外枠部材２２Ａ，２２Ｂそれぞれの支柱部３２に固定されるようになっているので、２組の外枠部材２２Ａ，２２Ｂと２本の外枠連結部材２４は、水平面内で略正方形に組立てられるようになっている。
【００３２】
また、外枠部材２２Ａ，２２Ｂの計４本の支柱部３２それぞれの上端部には、図９に示すような上枠部材２６が設けられて、上枠部材２６の計４本の桁材４８のそれぞれが、外枠部材２２Ａ，２２Ｂの計４本の支柱部３２のそれぞれに掛け渡されて、その両端部が支柱部３２に受部４６を介して取付けられるようになっている。
【００３３】
ドラム缶保管構造２０の外枠部材２２Ａ，２２Ｂは、その構成部材が金属製であり、図４に示すように、それぞれの一対の支柱部３２が、その長さ方向（図中上下方向）が略平行になるように、その長さ方向に対して垂直方向（図中左右方向）に互いに間隔をおいて並んで配置されている。
【００３４】
この外枠部材２２Ａ，２２Ｂの支柱部３２は、図５（ａ）に示すように、その長さ方向（図紙面に垂直な方向）に垂直な水平断面の形状が、Ｌ字状の２つの辺部の先端部それぞれがさらに略直角に、かつ互いに接近する側に折れ曲がった形状に形成されている。
【００３５】
そして、図５（ａ）に示すように、支柱部３２の長さ方向に略垂直な方向（図中左右方向）に長さを有し、断面が略矩形で中空の角筒状（以下、単に角筒状という）の２本の梁部３６（図４参照）が、一対の支柱部３２間に掛け渡されて配置されている。
【００３６】
すなわち図４に示すように、外枠部材２２Ａ，２２Ｂの一対の支柱部３２間の２本の梁部３６は、その長さ方向が略平行になるように、その長さ方向に対して垂直方向（図中上下方向）に互いに間隔をおいて並んで配置されており、その長さ方向の両端部が一対の支柱部３２の互いの対向面３２ａ，３２ａそれぞれに溶接等により接合されている。
【００３７】
また、梁部３６の長さ方向に垂直な方向（図４中上下方向）に長さを有する角筒状の２本の梁補強部３８が、一対の梁部３６の互いに対向する２つの面の間に掛け渡されて配置されている。
【００３８】
すなわち、外枠部材２２Ａ，２２Ｂの２本の梁補強部３８は、その長さ方向が略平行になるように、その長さ方向に対して垂直方向（図中左右方向）に互いに間隔をおいて並んで配置されており、その長さ方向の両端部が一対の梁部３６の互いに対向する面にそれぞれ突き当てられて、梁部３６に溶接等により接合されている。
【００３９】
このため、図４に示すように、外枠部材２２Ａ，２２Ｂの一対の支柱部３２は、一対の梁部３６により互いに連結されており、互いに梁部３６の長さと同じ間隔をおいて離れた状態で互いに固定されるようになっている。
【００４０】
そして、外枠部材２２Ａ，２２Ｂの一対の支柱部３２は、図５（ａ）に示す互いの対向面３２ａとは反対側の外側面３２ｂに、図６（ａ）に示すように、支柱部３２の長さ方向（図中上下方向）に互いに間隔をおいて離れた２つの位置に、支柱部３２の長さ方向に沿って長さを有する長孔３２ｃがそれぞれ開口している。
【００４１】
外枠部材２２Ａ，２２Ｂの一対の支柱部３２には、図６（ａ）に示すように、２つの長孔３２ｃそれぞれの長さ方向の下端部から図中右方向に離れた位置に、ボルト２８のオネジ部２８ａ（図１３参照）が緩く挿通する貫通孔３２ｄがそれぞれ形成されるようになっている。
【００４２】
また、外枠部材２２Ａ，２２Ｂの一対の支柱部３２は、図５（ａ）に示すように、その平面形状が支柱部３２の内側面のそれぞれに各々の辺が接触する、５角形状に形成された補強板部３２ｅ（図６（ｂ），１２，１３参照）が、支柱部３２の水平断面形状の内側に配置されている。
【００４３】
図６（ｂ）に示すように、外枠部材２２Ａ，２２Ｂの補強板部３２ｅは、支柱部３２の長さ方向（図中上下方向）に互いに間隔をおいて複数配置されており、その支柱部３２の長さ方向において、支柱部３２に形成された長孔３２ｃ及び貫通孔３２ｄをその間に挟み込むように、それらの上下近傍の計４箇所に配置されている。そして、補強板部３２ｅは、支柱部３２の水平断面形状の内側に適当な固定手段により固定されている。
【００４４】
このような補強板部３２ｅにより、外枠部材２２Ａ，２２Ｂの支柱部３２は、長孔３２ｃ及び貫通孔３２ｄの近傍が補強されるようになっている。
【００４５】
図４に示すように、外枠部材２２Ａ，２２Ｂの一対の支柱部３２それぞれは、その長さ方向の図中下端面が、脚部３４の上板部３４ａの上面に接触しており、その接触した部分の周りを溶接等することにより脚部３４に一体的に固定されている。
【００４６】
外枠部材２２Ａ，２２Ｂの脚部３４の上板部３４ａは、図５（ａ），（ｂ）に示すように、その平面形状が、支柱部３２の断面形状を包含するように幅広のＬ字状に形成されている。
【００４７】
また、外枠部材２２Ａ，２２Ｂの脚部３４は、図４，図５（ａ），（ｂ）に示すように、その上板部３４ａの外側の２辺の周部から、上板部３４ａより下方に高さを有する、水平断面がＬ字状の側板部３４ｂが形成されている。
【００４８】
そして、図５（ｂ）に示すように、側板部３４ｂのＬ字状の２つの辺部の内、図中横方向に伸びる一方の辺部の先端部から略直角に折れ曲がって、他方の辺部に対向するような突板部３４ｃが形成されている。
【００４９】
すなわち、側板部３４ｂと突板部３４ｃの板厚が見えるそれらの水平断面形状は、突板部３４ｃの長さ寸法が、それと平行な側板部３４ｂの長さ寸法よりも小さい、コの字の一方の端部が他方の端部よりも短い形状に形成されるようになっている。
【００５０】
そして、図６（ｂ）に示すように、支柱部３２の下端面に設けられた脚部３４の突板部３４ｃは、その下端面からの高さ寸法が、側板部３４ｂの下端面からの高さ寸法よりも小さくなるように形成されている。
【００５１】
一方、図３に示すように、脚部３４の側板部３４ｂはパレット４の角部４ｄの外側に配置され、このパレット４の角部４ｄには、外枠部材２２Ａ，２２Ｂの支柱部３２や、ドラム缶保管構造２０の上の別のドラム缶保管構造２０のパレット４とか、その上に載置されるドラム缶６等を支持できる強度を有する支持部材９が、パレット４の上面４ａを有する複数の帯状の板材４ｆと、下面４ｂを有する複数の帯状の板材４ｆに挟まれて設けられている。
【００５２】
ところで、パレット４は、表側と裏側に、複数の帯状の板材４ｆ（図１参照）が隙間を空けて互いに平行に並んで設けられており、裏返す前も後も同じ構造になるように形成されている。
【００５３】
また、図３におけるパレット４の凹部４ｅを形成する側方部材５は、開口部４ｃを形成する複数の中間部材８（図１参照）と互いに平行方向に配置されている。なお図３においては、側方部材５と中間部材８の下側（図紙面の裏側）の複数の帯状の板材４ｆは、表示すると図が見難くなるので便宜上その表示を省略してある。
【００５４】
次に、図１に示すドラム缶保管構造２０の外枠連結部材２４は、その構成部材が金属製であり、図７に示すように、２本の角筒状の梁部４２が、その水平長さ方向が互いに略平行になるように、図中上下方向に互いに間隔をおいて並んで配置されている。
【００５５】
そして、２本の角筒状の梁補強部４４が、梁部４２の長さ方向に垂直な方向（図中上下方向）に長さを有し、一対の梁部４２の間に掛け渡すように配置されている。
【００５６】
すなわち、上記梁補強部４４は、その長さ方向が略平行になるように、図中左右方向に互いに間隔をおいて並んで配置されており、その長さ方向の両端部が梁部４２の互いに対向する面に溶接等により接合されている。
【００５７】
そして、図７に示すように、外枠連結部材２４の２本の梁部４２は、それぞれの長さ方向の両端部に連結部４０が設けられており、この連結部４０の接合面４０ａが梁部４２の両端面に溶接等により接合されている。
【００５８】
連結部４０は、それが梁部４２に取付けられたときの水平面（図８（ｂ）紙面と同一面）内の断面形状が、同図に示すように、コの字状に形成されており、同図中上方に向かって伸びた２つの辺部４１，４３の、図中下端部間を繋ぐ辺部４５には、図８（ａ）に示すように、ボルト２８のオネジ部２８ａ（図１３参照）が緩く挿通する貫通孔４０ｂが形成されるようになっている。
【００５９】
図８（ｂ）に示す連結部４０の、図７に示す梁部４２に接合される接合面４０ａを有する、辺部４１と対向する辺部４３は、それに隣接する辺部４５側の隅部、すなわち図８（ｃ）に示す連結部４０の左下部に、上方に向かって凹んだ切欠部４０ｄが形成され、辺部４５から離れた辺部４３の先端側（図中右端側）の下端部にはそのような切欠部が形成されないで、図中上端から下端にわたって連続した係止部４０ｃが形成されるようになっている。
【００６０】
次に、図１に示すドラム缶保管構造２０の上枠部材２６は、その構成部材が金属製であり、図９に示すように、その外形形状が略正方形に形成されており、パレット４の４つの角部４ｄに対応する位置、すなわち、その外形形状の四隅の位置には４つの受部４６が配置されている。
【００６１】
図９に示すように、上枠部材２６の四隅の受部４６それぞれの下端部４６ａの各相互間には、角筒状の計４本の桁材４８が掛け渡されて、その長さ方向の両端部がその下端部４６ａのそれぞれに、溶接等により一体的に接合されている。
【００６２】
また、４つの受部４６の内の、上枠部材２６の外形形状の対角線の両端部に互いに位置する２つの受部４６の下端部４６ａ，４６ａ間には、角筒状の対角補強部材５０が掛け渡されて、その長さ方向の両端部が受部４６の下端部４６ａのそれぞれに、溶接等により一体的に接合されている。
【００６３】
そして、４つの受部４６の内の、対角補強部材５０が掛け渡されていない残りの２つの受部４６の下端部４６ａと、対角補強部材５０の長さ方向中央部との間には、角筒状の計２本の対角補強部材５２がそれぞれ掛け渡されており、その長さ方向の両端部が溶接等により、受部４６の下端部４６ａと対角補強部材５０の長さ方向中央部の側面に一体的に接合されている。
【００６４】
そして、受部４６の下端部４６ａには、図１０（ｂ）に示すように、下端部４６ａをその軸方向（図紙面に垂直方向）に貫通する、下端部４６ａの外形形状に相似する断面形状を有した開口部４６ｂが形成されており、その開口部４６ｂ内に、図１中の外枠部材２２Ａ，２２Ｂの支柱部３２の上端部を、同図中の受部４６の下側から嵌め込むことができるようになっている。
【００６５】
図９に示す上枠部材２６の受部４６の上端部４６ｃは、図１０（ａ）に示すように、下板部４６ｄと、立設部４６ｅと、ガイド部４６ｆにより構成されるようになっている。
【００６６】
そして、図１０（ａ）の受部４６の下板部４６ｄは、図１０（ｂ）に示すように、その平面形状が、下端部４６ａの水平断面の一部を除くほとんどの部分を包含する幅広のＬ字状に形成されている。そして、図１０（ａ）に示すように、受部４６の下板部４６ｄは、その下面が、下端部４６ａの上端面に接触して、その接触した部分の周りを溶接等することにより互いに一体的に接合されている。
【００６７】
図１０（ａ），（ｂ）に示すように、受部４６は、その下板部４６ｄの外側の２辺の周部から上方に高さを有し、水平断面がＬ字状となるような２つの辺部を有する立設部４６ｅが形成されている。
【００６８】
そして、図９に示す上枠部材２６の受部４６は、上記Ｌ字状の立設部４６ｅの２つの辺部それぞれの上端部に、上方に向かうにつれて立設部４６ｅの外側に向かって伸びるように傾斜したガイド部４６ｆが折り曲げられるようにして形成されている。
【００６９】
次に、図１のドラム缶保管構造２０の、一対の外枠部材２２Ａ，２２Ｂと、一対の外枠連結部材２４と、上枠部材２６の組立作業の手順について説明する。
【００７０】
まず、外枠部材２２Ａ，２２Ｂをパレット４に取り付ける。
そのためにまず、図１及び図３に示すように、外枠部材２２Ａ，２２Ｂの支柱部３２の脚部３４の、Ｌ字状の２辺を構成する２つの側板部３４ｂ（図５（ｂ）参照）の内側面が、パレット４の角部４ｄの支持部材９の外側の２面を覆うように配置させる。
【００７１】
このとき脚部３４の突板部３４ｃは、パレット４の開口部４ｃに入り込んで支持部材９の開口部４ｃを形成する側の面を覆うように、かつパレット４の角部４ｄの、支持部材９の上の板材４ｆの下方をくぐるように配置される。
【００７２】
そして、図２に示すように、一方の外枠部材２２Ｂが立設するよう配置されたパレット４の一方の辺部と反対側の他方の辺部に、他方の外枠部材２２Ａを、一方の外枠部材２２Ｂと互いに対向して立設するように配置する。
【００７３】
このとき、図２に示すように、一対の外枠部材２２Ａ，２２Ｂは、支柱部３２の下端部に設けられた脚部３４それぞれの上板部３４ａの下面が、パレット４の角部４ｄの上面に接触した状態で載置される。このため、一対の外枠部材２２Ａ，２２Ｂの支柱部３２のそれぞれは、パレット４の４つの角部４ｄの上に立設するようになっている。
【００７４】
次に、図１及び図２に示すように、一対の外枠連結部材２４を、互いに対向する一対の外枠部材２２Ａ，２２Ｂの支柱部３２，３２間に掛け渡して、その両端部をそれらの支柱部３２に係止して、外枠連結部材２４が互いに異なる外枠部材それぞれの支柱部３２，３２間を連結する。
【００７５】
すなわち、図１３に示すように、外枠連結部材２４の連結部４０の辺部４１の内側面を、外枠部材２２Ａ，２２Ｂの支柱部３２の外側面３２ｂの先端部が折れ曲がった、その外側面３２ｂに隣接する外側面３２ｆに接触させながら、辺部４１に対向する辺部４３の先端部を支柱部３２の長孔３２ｃに挿し込んで、連結部４０の辺部４５の内側面を支柱部３２の外側面３２ｂに当接させる。
【００７６】
それから、図１２に示すように、外枠連結部材２４の連結部４０の係止部４０ｃを同図中下側に押し下げることにより、連結部４０の切欠部４０ｄが、支柱部３２の長孔３２ｃの同図中下端面に当接して、連結部４０の係止部４０ｃが外枠部材２２Ａ，２２Ｂのそれぞれの支柱部３２に係止される。
【００７７】
図１３に示すように、外枠連結部材２４の連結部４０の貫通孔４０ｂと、外枠部材２２Ａ，２２Ｂの支柱部３２の貫通孔３２ｄに、ボルト２８のオネジ部２８ａを挿通させて、貫通孔３２ｄから支柱部３２の内側に突出したオネジ部２８ａの先端部にナット３０をネジ締結することにより、外枠連結部材２４の連結部４０と外枠部材２２Ａ，２２Ｂの支柱部３２を連結する。
【００７８】
次に、図２に示すように、一対の外枠部材２２Ａ，２２Ｂの４本の支柱部３２それぞれの上端部を、上枠部材２６の受部４６の下端部４６ａそれぞれの開口部４６ｂ（図１０（ｂ）参照）内に差し込んで、上枠部材２６の受部４６の下板部４６ｄの下面に支柱部３２の上端部を当接させる。
【００７９】
このような手順により組立てられたドラム缶保管構造２０の、一対の外枠部材２２Ａ，２２Ｂと、一対の外枠連結部材２４と、上枠部材２６により、それらの内側に位置する、パレット４上に置かれたドラム缶６の鉛直方向の周面と、水平方向の上面を囲む構成になっている。
【００８０】
このため、一対の外枠部材２２Ａ，２２Ｂと一対の外枠連結部材２４により、ドラム缶６がパレット４に対して水平方向に移動することを防止することができると共に、地震等の振動によりドラム缶６が転倒・脱落するのを防止することができるようになっている。
【００８１】
また、本考案の一実施の形態に係るドラム缶保管構造２０は、前記従来のドラム缶保管構造２におけるパレット４に、一対の外枠部材２２Ａ，２２Ｂの支柱部３２等を簡易に取付けられる構成になっているため、パレット４を加工等しないでそのまま利用することができるようになっている。
【００８２】
また、本考案の一実施の形態に係るドラム缶保管構造２０は、外枠部材２２Ａ，２２Ｂの脚部３４の突板部３４ｃが、パレット４の開口部４ｃ内に入り込んで、その突板部３４ｃの上端部がパレット４の角部４ｄの支持部材９の上の板材４ｆの下面に係止するようになっているため、外枠部材２２Ａ，２２Ｂが上方に浮き上がってパレット４から外れることを防止することができるようになっている。
【００８３】
また、本考案の一実施の形態に係るドラム缶保管構造２０は、パレット４と、外枠部材２２Ａ，２２Ｂと、外枠連結部材２４と、上枠部材２６により構成されており、互いに嵌合やネジ締結により固定することができるようになっているため、構造が簡単であり、かつ組立てを容易に行なえるようになっている。
【００８４】
また、本考案の一実施の形態に係るドラム缶保管構造２０は、図１４に示すように、設置面７に対して垂直方向に複数段積み重ねられることが可能な構成になっている。
【００８５】
すなわち、図１４において、下方のドラム缶保管構造２０の上枠部材２６の四隅の受部４６の下板部４６ｄの上に、上方のドラム缶保管構造２０のパレット４の角部４ｄの板材４ｆの下面４ｂを接触させて、下方のドラム缶保管構造２０の上に上方のドラム缶保管構造２０を載せることができるようになっている。
【００８６】
このとき、図１４に示すように、上方のドラム缶保管構造２０の脚部３４の側板部３４ｂは、下方のドラム缶保管構造２０の４つの受部４６の立設部４６ｅの内側に配置されるので、上方のドラム缶保管構造２０が下方のドラム缶保管構造２０の上で水平方向にずれることを防止することができ、地震等の振動により、積み重ねられたドラム缶保管構造全体が転倒したり、上方のドラム缶保管構造２０が下方のドラム缶保管構造２０の上から脱落するのを防止することができるようになっている。
【００８７】
また、下方のドラム缶保管構造２０の４つの受部４６には、ガイド部４６ｆが形成されているために、その上に上方のドラム缶保管構造２０を載せる際に、その脚部３４の側板部３４ｂをガイド部４６ｆの傾斜面により案内することができるようになっている。
【００８８】
また、図１４に示すように、下方のドラム缶保管構造２０の上に、上方のドラム缶保管構造２０を載せた際に、上方のドラム缶保管構造２０の重量を受ける下方のドラム缶保管構造２０の上枠部材２６は、その対角補強部材５０や対角補強部材５２がドラム缶６の上方に非接触の状態で配置されるために、ドラム缶６に上下方向の負荷がかかることを防止してドラム缶６が破損するのを防止することができるようになっている。
【００８９】
このような本考案の一実施の形態に係るドラム缶保管構造２０によれば、地震等の振動によりドラム缶６やドラム缶保管構造２０自体が転倒・脱落するのを防止することができ、ドラム缶６に外部から直接負荷がかかることを防止することができると共に、従来のパレット４を加工等しないでそのまま利用することができて、その構造が簡単であり、その組立てを容易に行なうことができる。
【００９０】
なお、前記一実施の形態に係るドラム缶保管構造２０は、設置面７の上に配置されるようになっていたが、輸送する際には車両等の交通機関の荷物置台の平面の上に配置されるようになってもよいことはいうまでもない。
【符号の説明】
【００９１】
２  ドラム缶保管構造
３  支持部材
４  パレット
４ａ  上面
４ｂ  下面
４ｃ  開口部
４ｄ  角部
４ｅ  凹部
４ｆ  板材
５  側方部材
６  ドラム缶
６ａ  上端部
６ｂ  下端部
７  設置面
８  中間部材
９  支持部材
２０  ドラム缶保管構造
２２Ａ，２２Ｂ  外枠部材
２４  外枠連結部材
２６  上枠部材
２８  ボルト
２８ａ  オネジ部
３０  ナット
３２  支柱部
３２ａ  対向面
３２ｂ  外側面
３２ｃ  長孔
３２ｄ  貫通孔
３２ｅ  補強板部
３２ｆ  外側面
３４  脚部
３４ａ  上板部
３４ｂ  側板部
３４ｃ  突板部
３６  梁部
３８  梁補強部
４０  連結部
４０ａ  接合面
４０ｂ  貫通孔
４０ｃ  係止部
４０ｄ  切欠部
４１  辺部
４２  梁部
４３  辺部
４４  梁補強部
４５  辺部
４６  受部
４６ａ  下端部
４６ｂ  開口部
４６ｃ  上端部
４６ｄ  下板部
４６ｅ  立設部
４６ｆ  ガイド部
４８  桁部
５０，５２  対角補強部材
【図１】
0003169253.tif 000003
【図２】
0003169253.tif 000004
【図３】
0003169253.tif 000005
【図４】
0003169253.tif 000006
【図５】
0003169253.tif 000007
【図６】
0003169253.tif 000008
【図７】
0003169253.tif 000009
【図８】
0003169253.tif 000010
【図９】
0003169253.tif 000011
【図１０】
0003169253.tif 000012
【図１１】
0003169253.tif 000013
【図１２】
0003169253.tif 000014
【図１３】
0003169253.tif 000015
【図１４】
0003169253.tif 000016
【図１５】
0003169253.tif 000017
【図１６】
0003169253.tif 000018